【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
基材上のフィルム形態のプライマー、着色コーティング、クリアコーティング、トップコーティングまたは画像物であって、前記フィルムがバインダー、ならびに任意選択の顔料および任意選択の充填材を含み、前記フィルムが、前記バインダーを含む水性ポリマー分散物からの乾燥フィルムを特徴とし、前記フィルム中の前記バインダーの少なくとも３０ｗｔ％が、各繰り返し単位の１つまたは複数の末端でアミド連結を有することを特徴とするアミド繰り返し単位であり、前記アミド繰り返し単位が、ジカルボン酸モノマー、ラクタムモノマー、アミノカルボン酸モノマーおよびジアミンモノマーから選択されるモノマーのアミド縮合または開環重合によって誘導されており、前記バインダーポリマーの前記アミド連結の少なくとも６０モル％が第三級アミド連結であり、前記第三級アミド連結は、カルボニル基、および前記第三級アミド連結の前記窒素と化学結合した２つの炭化水素基を有する窒素を特徴とし、前記バインダーの少なくとも５ｗｔ％が、ヒドロキシル基またはアミン基と反応して、ポリイソシアネートから誘導される各繰り返し単位の２つまたはそれ超の末端で、尿素連結またはウレタン連結を有するポリイソシアネートから誘導される繰り返し単位を特徴とする繰り返し単位である、プライマー、着色コーティング、クリアコーティング、トップコーティングまたは画像物。
【請求項２】
前記バインダーがポリエーテル連結、ポリウレタン連結、ポリ尿素連結およびポリエステル連結をさらに含む、請求項１に記載の基材上のフィルム。
【請求項３】
前記バインダーが、少なくとも４０、５０、６０、７０、８０または９０ｗｔ％の、繰り返し単位当たり前記アミド連結を有する前記アミド繰り返し単位を含み、前記アミド連結がカルボン酸と窒素基の縮合によるものである、請求項１または２に記載の基材上のフィルム。
【請求項４】
前記バインダーポリマーの前記アミド連結の少なくとも７０、８０または９０モル％が第三級アミド連結である、請求項３に記載の基材上のフィルム。
【請求項５】
前記フィルムが、少なくとも顔料、少なくとも１つの染料または少なくとも１つの充填材を、望ましくは前記乾燥フィルムの重量に対して少なくとも１、２または３ｗｔ％の量で、さらに含む、請求項１〜４のいずれかに記載の基材上のフィルム。
【請求項６】
前記フィルムが、前記基材とさらなる着色コーティングの間のプライマーまたはシーラーの形態である、請求項１〜５のいずれかに記載の基材上のフィルム。
【請求項７】
前記フィルムがクリアコーティングであり、好ましくは前記フィルムが、着色コーティングの上部に塗布されたクリアコーティングである、請求項１〜４のいずれかに記載の基材上のフィルム。
【請求項８】
前記フィルムが、ブラッシング、ローリング、液浸、ワイピング、噴霧、粉末コーティング、カーテンコーティング、またはｔ−バーコーティングによって塗布されていることを特徴とする、請求項１〜７のいずれかに記載の基材上のフィルム。
【請求項９】
前記ポリアミド繰り返し単位の少なくとも５０モル％が、芳香族の繰り返し単位ではなく、脂肪族のアミド繰り返し単位である、請求項１〜８のいずれかに記載の基材上のフィルム。
【請求項１０】
前記フィルムが、乾燥前に、ポリマー分散物から塗布され、アニオン性、カチオン性または非イオン性の安定化基またはその組合せによって前記分散物中でコロイド状に安定化された、請求項１〜９のいずれかに記載の基材上のフィルム。
【請求項１１】
（ｉ）前記基材が金属基材であり、好ましくは
（ｉｉ）前記基材が、鉄、鋼鉄、銅、アルミニウム、および少なくとも５０ｗｔ％の鉄またはアルミニウムを有する合金から選択される金属である、あるいは
（ｉｉｉ）前記石造物基材が、コンクリート、モルタル、れんが、石または他の無機構造材料、またはプラスチックから選択され、好ましくは、前記基材が、プラスチック、またはプラスチックを含む複合材である、
請求項１〜１０のいずれかに記載の基材上のフィルム。
【請求項１２】
前記バインダーが架橋されており、好ましくは、前記バインダーが、ポリイソシアネート、アジリジン、カルボジイミド、ポリエポキシドまたはその誘導体で架橋されている、あるいは前記バインダーが、アゾメチン型の架橋で架橋されている、請求項１〜１１のいずれかに記載の基材上のフィルム。
【請求項１３】
（ｉ）前記基材および前記フィルムが床またはデッキ表面を構成する、
（ｉｉ）前記基材および前記フィルムが、壁、扉および窓周りのトリム、または屋根表面を構築するエクステリア構造物表面（好ましくは金属、木材、石造物、またはプラスチックを含む複合材）を構成する、あるいは、
（ｉｉｉ）前記基材および前記フィルムが、運搬用車両（好ましくは、トラック、自動車、列車、または船）を構成する、
請求項１〜１２のいずれかに記載の剛性基材上のフィルム。
【請求項１４】
前記バインダーが、５０％〜３００％の破断時伸びを有する、請求項１〜１３のいずれかに記載の剛性基材上のフィルム。
【手続補正２】
【補正対象書類名】明細書
【補正対象項目名】００２０
【補正方法】変更
【補正の内容】
【００２０】
一実施形態では、ポリアミド分散物は、木材、金属、プラスチックまたは石造物などの基材（任意選択で剛性の）上のコーティングとして使用される。一部の基材は、これらに限定されないが、接着性、耐薬品性、耐紫外線性、耐食性、耐アルカリ性、硬度および耐摩耗性（abrasion  resistance）を含むコーティング特性を必要とする。ポリアミドは、それらの高いフィルム形成温度に起因して、歴史的に保護コーティングにおいて使用されてきていないが、最近の技術は、所望の物理的特性を基材のためのコーティング技術にもたらし、水性ベースの分散物から高い完全性のフィルムを得る能力をもたらす。アミド繰り返し単位のオレフィン特性と組み合わせたアミド連結の固有の極性は、多種多様の極性、表面張力（および表面エネルギー）、小さい摩擦表面、摩耗抵抗性（wear  resistance）、耐紫外線性、耐アルカリ性、耐食性、耐水性および耐溶剤性ならびに様々な基材への良好な接着を提供する。これらの基材が剛性であるという事実は、分散物のバインダーを架橋させて、耐薬品性、硬度、耐摩耗性および耐食性に関してさらなる利益を与える機会を開くものである。
一実施形態において、例えば、以下の項目が提供される。
（項目１）
基材（望ましくは木材、金属、プラスチック、石造物など）上のフィルム形態のプライマー、着色コーティング、クリアコーティング、トップコーティングまたは画像物であって、前記フィルムがバインダー、ならびに任意選択の顔料および任意選択の充填材を含み、前記フィルム中の前記バインダーの少なくとも２０ｗｔ％が、各繰り返し単位の１つまたは複数の末端でアミド連結を有することを特徴とするアミド繰り返し単位であり、前記アミド繰り返し単位が、ジカルボン酸モノマー、ラクタムモノマー、アミノカルボン酸モノマーおよびジアミンモノマーから選択されるモノマーのアミド縮合または開環重合によって誘導されており、前記バインダーの少なくとも５（より望ましくは少なくとも１０、１５、２０、２５または３０）ｗｔ％が、ヒドロキシル基またはアミン基と反応して、ポリイソシアネートから誘導される各繰り返し単位の２つまたはそれ超の末端で、尿素連結またはウレタン連結を有するポリイソシアネートから誘導される繰り返し単位を特徴とする繰り返し単位である、プライマー、着色コーティング、クリアコーティング、トップコーティングまたは画像物。
（項目２）
前記バインダーがポリエーテル連結、ポリウレタン連結、ポリ尿素連結およびポリエステル連結をさらに含み、前記アミド連結の少なくとも２０モル％（より望ましくは少なくとも５０）が、カルボニル基と化学結合した窒素を有する第三級アミド連結、および前記アミド連結の前記窒素と化学結合した２つのさらなる炭化水素基を特徴とする、項目１に記載の基材上のフィルム。
（項目３）
前記バインダーが、少なくとも３０、４０、５０、６０、７０、８０または９０ｗｔ％の、繰り返し単位当たり前記２つまたはそれ超のアミド連結を有する前記アミド繰り返し単位を含み、前記アミド連結がカルボン酸と窒素基の縮合によるものである、項目１または２に記載の基材上のフィルム。繰り返し単位が、通常、アミド連結を形成する末端基（すなわち、カルボン酸基またはアミン、好ましくは第二級の基）を有する炭化水素中央セグメント（炭素および水素、任意選択で不飽和、環状、分枝状またはその組合せ（任意選択で、末端基間の原子のモルに基づいて、最大で１０モル％の酸素または窒素のヘテロ原子を有する））である。
（項目４）
バインダーポリマーのアミド連結の少なくとも２５、３０、４０、５０、６０、７０、８０または９０モル％が第三級アミド連結（前記第三級アミド連結は、カルボニル基を有する窒素、および前記第三級アミド連結の前記窒素と化学結合した２つの炭化水素基を特徴とする）である、項目３に記載の基材上のフィルム。
（項目５）
前記フィルムが、少なくとも顔料、少なくとも１つの染料または少なくとも１つの充填材（望ましくは乾燥された前記フィルムの重量に対して少なくとも１、２または３ｗｔ％の量で）をさらに含む、前記項目のいずれかに記載の基材上のフィルム。
（項目６）
前記フィルムが、前記基材とさらなる着色コーティングの間のプライマーまたはシーラーの形態である、前記項目のいずれかに記載の基材上のフィルム。
（項目７）
前記フィルムがクリアコーティングである、項目１〜４のいずれかに記載の基材上のフィルム。
（項目８）
前記フィルムが、着色コーティングの上部に塗布されたクリアコーティングである、項目７に記載の基材上のフィルム。
（項目９）
前記フィルムが、ポリマー分散物または溶液から乾燥されたフィルムを特徴とする、項目１〜８のいずれかに記載の基材上のフィルム。
（項目１０）
前記フィルムが、前記バインダーの水性ポリマー分散物からの乾燥フィルムを特徴とする、項目９に記載の基材上のフィルム。
（項目１１）
前記フィルムが、ブラッシング、ローリング、液浸、ワイピング、噴霧、粉末コーティング、カーテンコーティング、ｔ−バーコーティングなどによって塗布されていることを特徴とする、前記項目のいずれかに記載の基材上のフィルム。
（項目１２）
ポリアミド繰り返し単位の少なくとも５０モル％が、芳香族の繰り返し単位ではなく、脂肪族のアミド繰り返し単位である、前記項目のいずれかに記載の基材上のフィルム。
（項目１３）
前記フィルムが、乾燥前に、ポリマー分散物から塗布されており、アニオン性、カチオン性または非イオン性の安定化基またはその組合せによって前記分散物中でコロイド状に安定化されている、前記項目のいずれかに記載の基材上のフィルム。
（項目１４）
前記基材が金属基材である、前記項目のいずれかに記載の基材上のフィルム。
（項目１５）
前記基材が、鉄、鋼鉄、銅、アルミニウム、および少なくとも５０ｗｔ％の鉄またはアルミニウムを有する合金から選択される金属である、前記項目のいずれかに記載の基材上のフィルム。
（項目１６）
前記石造物基材が、コンクリート、モルタル、れんが、石または他の無機構造材料から選択される、項目１〜１３のいずれかに記載の基材上のフィルム。
（項目１７）
前記基材が、木材、または木材とプラスチックの組合せから選択される、項目１〜１３のいずれかに記載の基材上のフィルム。
（項目１８）
前記基材が、プラスチックまたはプラスチックを含む複合材である、項目１〜１４のいずれかに記載の基材上のフィルム。
（項目１９）
前記バインダーが架橋されている、前記項目のいずれかに記載の基材上のフィルム。
（項目２０）
前記バインダーが、ポリイソシアネート、アジリジン、カルボジイミド、ポリエポキシドまたはその誘導体で架橋されている、項目１９に記載の基材上のフィルム。
（項目２１）
前記バインダーが、アゾメチン型の架橋で架橋されている、項目１９に記載の基材上のフィルム。
（項目２２）
前記基材および前記フィルムが床またはデッキ表面を構成する、前記項目のいずれかに記載の剛性基材上のフィルム。
（項目２３）
前記基材および前記フィルムが、壁、扉および窓周りのトリム、屋根表面などを構築するエクステリア構造物表面（好ましくは金属、木材、石造物、またはプラスチックを含む複合材）を構成する、前記項目のいずれかに記載の剛性基材上のフィルム。
（項目２４）
前記基材および前記フィルムが、運搬用車両（好ましくは、トラック、自動車、列車、船など）を構成する、前記項目のいずれかに記載の剛性基材上のフィルム。
（項目２５）
前記バインダーが、約５０％〜約３００％の破断時伸びを有する、前記項目のいずれかに記載の剛性基材上のフィルム。